(57)【特許請求の範囲】
【請求項１】
遊技球が流下する遊技領域と、
この遊技領域に遊技球が通過可能に設けられた特定領域と、
この特定領域に設けられ、遊技球を検知したときに遊技球検知信号を出力するオン状態となり、遊技球を検知しないときにその遊技球検知信号を出力しないオフ状態となる遊技球検知センサと、
前記遊技球検知センサのオンエッジに基づいて遊技に関する処理を行う制御処理部と、
特定波長域の電磁波を照射されるとオフ状態となり、その電磁波を照射されないと非検知信号を出力するオン状態となる電磁波検知センサとを備えるパチンコ機において、
前記制御処理部は、
前記遊技球検知センサの状態がオン状態であるかオフ状態であるかの判定を一定周期で、前記遊技球検知センサの遊技球検知信号を前記制御処理部が入力したか否かに基づいて行う遊技球検知センサ用状態判定手段と、
この遊技球検知センサ用状態判定手段による判定の結果に基づいて前記遊技球検知センサのオンエッジを検出するオンエッジ検出処理手段と、
前記電磁波検知センサの非検知信号を前記制御処理部が入力しているか否かに基づき前記電磁波検知センサの状態がオン状態であるかオフ状態であるかを判定する電磁波検知センサ用状態判定手段と、
前記電磁波検知センサ用状態判定手段による前記電磁波検知センサの状態の判定の結果がオン状態からオフ状態に変化した後、前記遊技球検知センサ用状態判定手段による前記遊技球検知センサの状態の判定の結果が所定の周期数を超えて連続してオン状態になったことを、前記遊技球検知センサの状態の異常として検知する遊技球検知センサ用異常検知手段と、
この遊技球検知センサ用異常検知手段により異常が検知された場合に、前記オンエッジ検出処理手段によるオンエッジの検出を禁止するオンエッジ検出禁止処理手段と
を備える
ことを特徴とするパチンコ機。
【請求項２】
遊技球が流下する遊技領域と、
この遊技領域に遊技球が通過可能に設けられた複数の特定領域と、
これらの特定領域のそれぞれに設けられ、遊技球を検知したときに遊技球検知信号を出力するオン状態となり、遊技球を検知しないときにその遊技球検知信号を出力しないオフ状態となる遊技球検知センサと、
前記遊技球検知センサのオンエッジに基づいて遊技に関する処理を行う制御処理部と、
特定波長域の電磁波を照射されるとオフ状態となり、その電磁波を照射されないと非検知信号を出力するオン状態となる電磁波検知センサとを備えるパチンコ機において、
前記制御処理部は、
前記複数の遊技球検知センサのそれぞれの状態がオン状態であるかオフ状態であるかを、それらの遊技球検知センサのそれぞれについて個別に、その遊技球検知センサの遊技球検知信号を前記制御処理部が入力したか否かに基づいて判定する遊技球検知センサ用状態判定手段と、
この遊技球検知センサ用状態判定手段による判定の結果に基づいて前記複数の遊技球検知センサのそれぞれのオンエッジを検出するオンエッジ検出処理手段と、
前記電磁波検知センサの非検知信号を前記制御処理部が入力しているか否かに基づき前記電磁波検知センサの状態がオン状態であるかオフ状態であるかを判定する電磁波検知センサ用状態判定手段と、
前記複数の遊技球検知センサの状態の異常を検知する遊技球検知センサ用異常検知手段と、
この遊技球検知センサ用異常検知手段により異常が検知された場合に、その異常が検知された前記遊技球検知センサに限って前記オンエッジ検出処理手段によるオンエッジの検出を禁止するオンエッジ検出禁止処理手段と
を備え、
前記遊技球検知センサ用状態判定手段は、前記遊技球検知センサの状態の判定を一定周期で行い、この判定の結果を、前記遊技球検知センサのオン状態に対応付けられた入力判定値であるオン判定値、または、前記遊技球検知信号センサのオフ状態に対応付けられた入力判定値であるオフ判定値の形で、更新して記憶するものであり、
前記オンエッジ検出処理手段は、前記遊技球検知センサ用状態判定手段により入力判定値がオフ判定値からオン判定値に更新されたことを、前記オンエッジとして検出するものであり、
前記遊技球検知センサ用異常検知手段は、前記電磁波検知センサ用状態判定手段による前記電磁波検知センサの状態の判定の結果がオン状態からオフ状態に変化した後、前記複数の遊技球検知センサのいずれかの入力判定値の更新状況が、所定の周期数を超えて連続して前記オン判定値に更新されることを異常として検知するものであり、
前記オンエッジ検出禁止処理手段は、前記遊技球検知センサ用異常検知手段により異常が検知された場合に、その異常が検知された遊技球検知センサに限り、その遊技球検知センサの入力判定値を常に前回の入力判定値に更新することによって、前記オンエッジ検出処理手段によるオンエッジの検出を禁止するものである
ことを特徴とするパチンコ機。
【請求項３】
請求項２に記載のパチンコ機において、
前記遊技球検知センサ用状態判定手段による判定の周期をＴで表し、前記所定の周期数をＺで表し、前記複数の遊技球検知センサのそれぞれを遊技球が通過するのに要する時間のうちの最長時間をＨで表した場合に、ＺはＴ，Ｈとの間で「Ｈ／Ｔ＜Ｚ」という関係式を満たすよう設定された
ことを特徴とするパチンコ機。
【発明の詳細な説明】
【技術分野】
【０００１】
本発明は、電磁波の照射により誤作動を生じさせて不正に賞球を獲得しようとする行為に対処するパチンコ機に関する。
【背景技術】
【０００２】
一般に、パチンコ機の遊技領域には、遊技球が通過可能な特定領域として始動入賞口、一般入賞口、スルーチャッカが設けられている。これらの特定領域のそれぞれには、遊技球検知センサ（磁気センサ）である始動入賞口センサ、一般入賞口センサ、スルーチャッカセンサのそれぞれが設けられている。これらの遊技球検知センサは、遊技球を検知したときに遊技球検知信号を出力するオン状態となり、遊技球を検知しないときにその遊技球検知信号を出力しないオフ状態となる。遊技球検知信号は制御処理部に入力され、この制御処理部は、その遊技球検知信号に基づき遊技に関する処理を行う。
【０００３】
具体的には、始動入賞口に遊技球が入賞した場合、制御処理部は始動入賞口センサからの遊技球検知信号の入力に基づき始動入賞口センサのオンエッジを検出し、特別図柄に係る電子抽選を行うとともに始動入賞口に予め対応付けられた個数の賞球の払出しを、賞球払出装置に行わせるための払出コマンドを出力する。一般入賞口に遊技球が入賞した場合、制御処理部は一般入賞口センサからの遊技球検知信号の入力に基づき一般入賞口センサのオンエッジを検出し、一般入賞口に予め対応付けられた個数の賞球の払出コマンドを出力する。また、スルーチャッカを遊技球が通過した場合、制御処理部はスルーチャッカセンサからの遊技球検知信号の入力に基づきスルーチャッカセンサのオンエッジを検出し、普通図柄に係る電子抽選を行う。
【０００４】
ところで、制御処理部はマイクロコンピュータにより処理を行うものであるため、電気的ノイズにより誤作動する。このことを悪用し、パチンコ機の外部から特定波長域の電磁波を照射して制御処理部に誤作動させることによって、賞球を獲得しようとする不正行為を行う者がいる。最近では大玉ゴトと称される不正行為（ゴト行為）が横行し、遊技場が被害を被っている。大玉ゴトとは、正規の遊技球よりも径がやや大きな特殊な玉（いわゆる大玉）を特定領域に詰まらせた後、特定波長の電磁波を断続的に制御処理部に照射する不正行為である。
【０００５】
特定領域に大玉が詰まった状態において、その特定領域に設けられた遊技球検知センサはオン状態に維持され、遊技球検知信号を出力し続ける。このため、制御処理部は、遊技球検知センサの状態をオン状態と判定し続ける状態となる。この状態の制御処理部に対して特定波長域の電磁波が照射されると、制御処理部は誤作動して、遊技球検知センサの状態を実際とは逆のオフ状態と誤認する。そして、特定波長域の電磁波の照射が止むと主制御処理部は正常に戻り、遊技球検知センサから出力され続けている遊技球検知信号を新たに入力したものして扱うため、遊技球検知センサのオンエッジを誤検出する。この結果、実際には特定領域を遊技球が通過していないにも関わらず、賞球の払出しの指令、特別図柄に係る電子抽選、普通図柄に係る電子抽選が行われてしまうのである。
【０００６】
電磁波を用いた不正行為に対処する従来の技術としては、特許文献１に開示されたものがある。この従来の技術は、遊技を制御する制御手段（制御処理部）と、この制御手段に誤作動を起こさせる電磁波を検出する電磁波検出手段（電磁波検知センサ）とを備え、電磁波検出手段により電磁波が検出された場合に、制御手段は特定領域の全て関し、遊技球が通過したことの検知を、電磁波による誤作動に起因することであるとして無効とするものである。
【先行技術文献】
【特許文献】
【０００７】
【特許文献１】特開２００２−５２１５２号公報（段落００５０，００５１等）
【発明の概要】
【発明が解決しようとする課題】
【０００８】
ところで、電磁波検知センサには、特定波長域の電磁波を照射されたときにオフ状態となり、その電磁波を照射されないときにオン状態となって非検知信号を出力するものがある。この電磁波検知センサが前述の特許文献１に開示の技術における電磁波検知手段として採用された場合、制御手段（制御処理部）は、電磁波検知センサが電磁波を検知した状態か否か、すなわちオフ状態であるかオン状態であるかの判定を、電磁波検知センサの非検知信号を入力したか否かに基づいて行うことになる。電磁検知センサからの非検知信号が制御処理部に入力されなくなる現象は、電磁波検知センサの状態が電磁波を検知してオフ状態となった場合に起こるだけでなく、電磁波検知センサと制御処理部の間が断線して非検知信号が途絶えた場合にも起こる。このため、電磁波センサと制御処理部の間の断線時、全ての特定領域に関する遊技球の入賞または通過の検知は、実際には電磁波が用いられていない状態であるにも関わらず、電磁波による主制御処理部の誤作動に起因する検知であると扱われ、無効になってしまう。
【０００９】
電磁波検知センサと主制御処理部の間の断線は、電磁波を用いた不正行為が発見されないようにすることを目的とした作為によって生じたことである場合が考えられるが、そうでない単なる故障である場合も考えられる。後者の場合、遊技者は電磁波を用いた不正行為を行おうとしていないにも関わらず、全ての特定領域に関して正規の遊技球の入賞または通過が無効にされ、これによって、賞球が払い出されないこと、特別図柄に係る電子抽選が行われないこと、普通図柄に係る電子抽選が行われないこと等の不利益を被る。
【００１０】
本発明は前述の事情を考慮してなされたものであり、その目的は、電磁波検知センサと制御処理部の間の断線を電磁波の検知と同等の異常として扱うことに伴う遊技者の不利益の発生を防止できるパチンコ機を提供することにある。
【課題を解決するための手段】
【００１１】
前述の目的を達成するために本発明は次のように構成されている。
【００１２】
〔１〕  本発明に係るパチンコ機は、遊技球が流下する遊技領域と、この遊技領域に遊技球が通過可能に設けられた特定領域と、この特定領域に設けられ、遊技球を検知したときに遊技球検知信号を出力するオン状態となり、遊技球を検知しないときにその遊技球検知信号を出力しないオフ状態となる遊技球検知センサと、前記遊技球検知センサのオンエッジに基づいて遊技に関する処理を行う制御処理部と、特定波長域の電磁波を照射されるとオフ状態となり、その電磁波を照射されないと非検知信号を出力するオン状態となる電磁波検知センサとを備えるパチンコ機において、前記制御処理部は、前記遊技球検知センサの状態がオン状態であるかオフ状態であるかの判定を一定周期で、前記遊技球検知センサの遊技球検知信号を前記制御処理部が入力したか否かに基づいて行う遊技球検知センサ用状態判定手段と、この遊技球検知センサ用状態判定手段による判定の結果に基づいて前記遊技球検知センサのオンエッジを検出するオンエッジ検出処理手段と、前記電磁波検知センサの非検知信号を前記制御処理部が入力しているか否かに基づき前記電磁波検知センサの状態がオン状態であるかオフ状態であるかを判定する電磁波検知センサ用状態判定手段と、前記電磁波検知センサ用状態判定手段による前記電磁波検知センサの状態の判定の結果がオン状態からオフ状態に変化した後、前記遊技球検知センサ用状態判定手段による前記遊技球検知センサの状態の判定の結果が所定の周期数を超えて連続してオン状態になったことを、前記遊技球検知センサの状態の異常として検知する遊技球検知センサ用異常検知手段と、この遊技球検知センサ用異常検知手段により異常が検知された場合に、前記オンエッジ検出処理手段によるオンエッジの検出を禁止するオンエッジ検出禁止処理手段とを備えることを特徴とする。
【００１３】
前述のように大玉ゴトは、大玉を特定領域に詰まらせた状態で電磁波を断続的に制御処理部に照射することである。この大玉ゴト中において電磁波の照射が途切れている間に大玉が遊技球検知センサにより検知され続ける期間は、特定領域を正規の遊技球が通過する際に遊技球検知センサにより遊技球が検知され続ける期間よりも長くなる場合があると考えられる。言い換えると、特定領域に大玉が詰まった状態で電磁波の照射が途切れている期間に遊技球検知センサの状態が連続してオン状態と判定される周期数と、正規の遊技球が遊技球検知センサを通過する際に遊技球検知センサの状態が連続してオン状態と判定される周期数とでは、前者の方が後者よりも多くなる場合があると考えられる。そこで、「〔１〕」に記載のパチンコ機において、遊技球検知センサのオン状態を異常として扱うための基準となる所定の周期数は、正規の遊技球が遊技球検知センサを通過する際に遊技球検知センサの状態の判定結果が連続する周期数よりも多く設定される。つまり、遊技球検知センサ用異常検知手段は、大玉ゴト中において電磁波の照射が途切れている期間が、所定の周期数に相応する所定時間以上となったことを、特定領域に大玉が詰まっている異常として検知するようになっている。
【００１４】
「〔１〕」に記載のパチンコ機において、遊技球検知センサ用状態判定手段は、遊技球検知センサの状態の判定を一定周期で行う。大玉ゴトが行われていない状態において、オンエッジ検出処理手段は、遊技球検知センサ用状態判定手段による判定の結果に基づいてオンエッジを検出する。オンエッジが検出されると、制御処理部は遊技に関する処理（賞球の払出しの指令、特別図柄に係る電子抽選、普通図柄に係る電子抽選など）を行う。
【００１５】
大玉ゴトが行われた場合、特定領域に大玉が詰まった状態で制御処理部に特定波長域の電磁波が断続的に照射される。その電磁波を電磁波検知センサが検知してオフ状態となる。このとき、電磁波検知センサから主制御処理部への非検知信号の入力がなくなるため、電磁波検知センサ用状態判定手段は、電磁波検知センサの状態をオフ状態と判定する。すると、遊技球検知センサ用異常検知手段は、遊技球検知センサの状態が所定の周期数を超えて連続してオン状態と判定される異常があるか否かの、すなわち、特定領域に大玉が詰まっている異常があるか否かの監視を開始する。そして、電磁波の照射が途切れた期間内で、遊技球検知センサ用異常検知手段が特定領域に大玉が詰まっている異常を検知すると、オンエッジ検出禁止処理手段はオンエッジ検出処理手段によるオンエッジの検出を禁止する。
【００１６】
この結果、大玉ゴトによる遊技球検知センサのオンエッジの偽装が防止される。したがって、大玉ゴトが行われた場合に、賞球の払出しの指令、特別図柄に係る電子抽選、普通図柄に係る電子抽選など処理が繰り返し行われてしまうことを防止でき、遊技場の被害を抑えることができる。
【００１７】
また、「〔１〕」に記載のパチンコ機において、電磁波検知センサ用状態判定手段は、電磁波検知センサからの非検出信号を制御処理部が入力しない状態であることに基づいて、電磁波検知センサの状態をオフ状態であると判定するため、電磁波検知センサが電磁波を検知してオフ状態になった場合だけでなく、電磁波検知センサと制御処理部の間の断線に起因して電磁波検知センサから制御処理部への非検知信号が途絶えた場合にも、電磁波検知センサ用状態判定手段は電磁波検知センサの状態をオフ状態と判定する。つまり、電磁波検知センサ用状態判定手段は、電磁波検知センサと制御処理部の間の断線を、電磁波検知センサにより電磁波が検知されたことと同等に扱う。したがって、遊技球検知センサ用異常検知手段は、電磁波検知センサと制御処理部の間が断線した場合にも、特定領域に大玉が詰まっているか否かを監視することになる。そして、特定領域に大玉が詰まっていることが遊技球検知センサ用異常検知手段により検知された場合に、オンエッジ禁止処理手段は、オンエッジ処理手段によるオンエッジの検出を禁止する。一方、特定領域に大玉が詰まっていることが遊技球検知センサ用異常検知手段により検知されない場合に、オンエッジ禁止処理手段は、遊技球検知センサのオンエッジを検出できる状態を維持する。
【００１８】
つまり、「〔１〕」に記載のパチンコ機は、電磁波検知センサと制御処理部の間の断線を、電磁波検知センサにより電磁波が検知されたことと同等の異常として扱うものの、実際に大玉が特定領域に詰まっていることを検知しない場合には、遊技球検知センサのオンエッジを検出できる状態を維持する。したがって、電磁波検知センサと制御処理部の間の断線を電磁波の検知と同等の異常として扱うことに伴う遊技者の不利益の発生を防止できる。
【００１９】
〔２〕  本発明に係るパチンコ機は、遊技球が流下する遊技領域と、この遊技領域に遊技球が通過可能に設けられた複数の特定領域と、これらの特定領域のそれぞれに設けられ、遊技球を検知したときに遊技球検知信号を出力するオン状態となり、遊技球を検知しないときにその遊技球検知信号を出力しないオフ状態となる遊技球検知センサと、前記遊技球検知センサのオンエッジに基づいて遊技に関する処理を行う制御処理部と、特定波長域の電磁波を照射されるとオフ状態となり、その電磁波を照射されないと非検知信号を出力するオン状態となる電磁波検知センサとを備えるパチンコ機において、前記制御処理部は、前記複数の遊技球検知センサのそれぞれの状態がオン状態であるかオフ状態であるかを、それらの遊技球検知センサのそれぞれについて個別に、その遊技球検知センサの遊技球検知信号を前記制御処理部が入力したか否かに基づいて判定する遊技球検知センサ用状態判定手段と、この遊技球検知センサ用状態判定手段による判定の結果に基づいて前記複数の遊技球検知センサのそれぞれのオンエッジを検出するオンエッジ検出処理手段と、前記電磁波検知センサの非検知信号を前記制御処理部が入力しているか否かに基づき前記電磁波検知センサの状態がオン状態であるかオフ状態であるかを判定する電磁波検知センサ用状態判定手段と、前記複数の遊技球検知センサの状態の異常を検知する遊技球検知センサ用異常検知手段と、この遊技球検知センサ用異常検知手段により異常が検知された場合に、その異常が検知された前記遊技球検知センサに限って前記オンエッジ検出処理手段によるオンエッジの検出を禁止するオンエッジ検出禁止処理手段とを備え、前記遊技球検知センサ用状態判定手段は、前記遊技球検知センサの状態の判定を一定周期で行い、この判定の結果を、前記遊技球検知センサのオン状態に対応付けられた入力判定値であるオン判定値、または、前記遊技球検知信号センサのオフ状態に対応付けられた入力判定値であるオフ判定値の形で、更新して記憶するものであり、前記オンエッジ検出処理手段は、前記遊技球検知センサ用状態判定手段により入力判定値がオフ判定値からオン判定値に更新されたことを、前記オンエッジとして検出するものであり、前記遊技球検知センサ用異常検知手段は、前記電磁波検知センサ用状態判定手段による前記電磁波検知センサの状態の判定の結果がオン状態からオフ状態に変化した後、前記複数の遊技球検知センサのいずれかの入力判定値の更新状況が、所定の周期数を超えて連続して前記オン判定値に更新されることを異常として検知するものであり、前記オンエッジ検出禁止処理手段は、前記遊技球検知センサ用異常検知手段により異常が検知された場合に、その異常が検知された遊技球検知センサに限り、その遊技球検知センサの入力判定値を常に前回の入力判定値に更新することによって、前記オンエッジ検出処理手段によるオンエッジの検出を禁止するものであることを特徴とする。
【００２０】
前述のように大玉ゴトは、大玉を特定領域に詰まらせた状態で電磁波を断続的に制御処理部に照射することである。この大玉ゴト中において電磁波の照射が途切れている間に大玉が遊技球検知センサにより検知され続ける期間は、特定領域を正規の遊技球が通過する際に遊技球検知センサにより遊技球が検知され続ける期間よりも長くなる場合があると考えられる。言い換えると、特定領域に大玉が詰まった状態で電磁波の照射が途切れている期間に遊技球検知センサの入力判定値がオン判定値に更新され続ける周期数と、正規の遊技球が遊技球検知センサを通過する際に遊技球検知センサの入力判定値がオン判定値に連続で更新され続ける周期数とでは、前者の方が後者よりも多くなる場合があると考えられる。そこで、「〔２〕」に記載のパチンコ機において、オン判定値の更新状況を異常として扱うための基準となる所定の周期数は、正規の遊技球が遊技球検知センサを通過する際に遊技球検知センサの入力判定値がオン判定値に連続で更新され続ける周期数よりも多く設定される。つまり、遊技球検知センサ用異常検知手段は、大玉ゴト中において電磁波の照射が途切れている期間が、所定の周期数に相応する所定時間以上となったことを、複数の特定領域のいずれかに大玉が詰まっている異常として検知するようになっている。
【００２１】
「〔２〕」に記載のパチンコ機において、遊技球検知センサ用状態判定手段は、遊技球検知センサの状態の判定を一定周期で行い、この判定の結果を、遊技球検知センサのオン状態に対応付けられた入力判定値であるオン判定値、または、遊技球検知信号センサのオフ状態に対応付けられた入力判定値であるオフ判定値の形で、更新して記憶する。大玉ゴトが行われていない状態において、オンエッジ検出処理手段は、複数の遊技球検知センサのそれぞれについて個別に、遊技球検知センサ用状態判定手段により入力判定値がオフ判定値からオン判定値に更新されたことを、オンエッジとして検出する。オンエッジが検出されると、制御処理部は遊技に関する処理（賞球の払出しの指令、特別図柄に係る電子抽選、普通図柄に係る電子抽選など）を行う。
【００２２】
大玉ゴトが行われた場合、複数の特定領域にいずれかに大玉が詰まった状態で制御処理部に特定波長域の電磁波が断続的に照射される。その電磁波を電磁波検知センサが検知してオフ状態となる。このとき、電磁波検知センサから主制御処理部への非検知信号の入力がなくなるため、電磁波検知センサ用状態判定手段は、電磁波検知センサの状態をオフ状態と判定する。すると、遊技球検知センサ用異常検知手段は、複数の遊技球検知センサのいずれかの入力判定値の更新状況に、所定の周期数を超えて連続してオン判定値に更新される異常があるか否かの、すなわち、複数の特定領域のいずれかに大玉が詰まっている異常があるか否かの監視を開始する。そして、電磁波の照射が途切れた期間内で、遊技球検知センサ用異常検知手段が複数の特定領域のいずれかに大玉が詰まっている異常を検知すると、オンエッジ検出禁止処理手段は、その異常が検知された遊技球検知センサに限り、入力判定値を常に前回の入力判定値に更新することによって、オンエッジ検出処理手段によるオンエッジの検出を禁止する。
【００２３】
つまり、電磁波の照射が途切れている期間において、異常が検知された遊技球検知センサ、すなわち大玉を検知した状態の遊技球検知センサの入力判定値はオン判定値であるから、その異常が検知された後はオン判定値が前回の入力判定値として常に強制的に更新され続けるようになり、これによって、オンエッジ検出処理手段によるオンエッジの検出が禁止される。この結果、大玉ゴトによる遊技球検知センサのオンエッジの偽装が防止される。したがって、大玉ゴトが行われた場合に、賞球の払出しの指令、特別図柄に係る電子抽選、普通図柄に係る電子抽選など処理が繰り返し行われてしまうことを防止でき、遊技場の被害を抑えることができる。
【００２４】
また、「〔２〕」に記載のパチンコ機において、電磁波検知センサ用状態判定手段は、電磁波検知センサからの非検出信号を制御処理部が入力しない状態であることに基づいて、電磁波検知センサの状態をオフ状態であると判定するため、電磁波検知センサが電磁波を検知してオフ状態になった場合だけでなく、電磁波検知センサと制御処理部の間の断線に起因して電磁波検知センサから制御処理部への非検知信号が途絶えた場合にも、電磁波検知センサ用状態判定手段は電磁波検知センサの状態をオフ状態と判定する。つまり、電磁波検知センサ用状態判定手段は、電磁波検知センサと制御処理部の間の断線を、電磁波検知センサにより電磁波が検知されたことと同等に扱う。したがって、遊技球検知センサ用異常検知手段は、電磁波検知センサと制御処理部の間が断線した場合にも、複数の特定領域のいずれかに大玉が詰まっているか否かを監視することになる。そして、複数の特定領域のいずれかに大玉が詰まっていることが遊技球検知センサ用異常検知手段により検知された場合に、オンエッジ禁止処理手段は、オンエッジ処理手段によるオンエッジの検出を禁止する。一方、複数の特定領域のいずれかに大玉が詰まっていることが遊技球検知センサ用異常検知手段により検知されない場合に、オンエッジ禁止処理手段は、遊技球検知センサのオンエッジを検出できる状態を維持する。
【００２５】
つまり、「〔２〕」に記載のパチンコ機は、電磁波検知センサと制御処理部の間の断線を、電磁波検知センサにより電磁波が検知されたことと同等の異常として扱うものの、実際に大玉が特定領域に詰まっていることを検知しない場合には、遊技球検知センサのオンエッジを検出できる状態を維持する。したがって、電磁波検知センサと制御処理部の間の断線を電磁波の検知と同等の異常として扱うことに伴う遊技者の不利益の発生を防止できる。
【００２６】
〔３〕  本発明に係るパチンコ機は、「〔２〕」に記載のパチンコ機において、前記遊技球検知センサ用状態判定手段による判定の周期をＴで表し、前記所定の周期数をＺで表し、前記複数の遊技球検知センサのそれぞれを遊技球が通過するのに要する時間のうちの最長時間をＨで表した場合に、ＺはＴ，Ｈとの間で「Ｈ／Ｔ＜Ｚ」という関係式を満たすよう設定されたことを特徴とする。
【００２７】
この「〔３〕」に記載のパチンコ機は、複数の遊技球検知センサのそれぞれの入力判定値の更新状況の異常を個別に判定するための周期数の基準を、複数の遊技球検知センサに対して１種類で済ませることができ、これによって、それらの入力判定値の更新状況の異常を判定するための制御プログラムが複雑になることを抑えることができる。
【発明の効果】
【００２８】
本発明に係るパチンコ機は、前述のように、電磁波検知センサと制御処理部の間の断線を、電磁波検知センサにより電磁波が検知されたことと同等の異常として扱うものの、特定領域に大玉が実際に詰まっていることを検知しない場合には、遊技球検知センサのオンエッジを検出できる状態を維持する。この結果、電磁波検知センサと制御処理部の間の断線を電磁波の検知と同等の異常として扱うことに伴う遊技者の不利益の発生を防止できる。
【図面の簡単な説明】
【００２９】
【図１】本発明の本実施形態に係るパチンコ機の外観斜視図である。
【図２】図１に示したパチンコ機のガラス扉および前面ボードが開けられた状態の外観斜視図である。
【図３】図２に示した遊技盤の盤面の構成を示す図である。
【図４】図１に示したパチンコ機の背面図である。
【図５】図１に示したパチンコ機の制御系の構成を示すブロック図である。
【図６】図５に示したオンエッジ検出処理手段により行われる処理の流れを示すフローチャートである。
【図７】図５に示した電磁波検知センサ用状態判定手段、遊技球検知センサ用異常検知手段、オンエッジ検出禁止処理手段および異常報知制御手段が関わるパチンコ機の動作の流れを示すフローチャートである。
【図８】大玉ゴトが行われてない正常な状態において、正規の遊技球が特定領域に入賞する場合の、遊技球検知センサの状態と、遊技球検知センサの入力判定値と、電磁波検知センサの入力判定値と、オンエッジの検出結果との時系列的な関係の一例を示すタイムチャートである。
【図９】大玉ゴト中に遊技球検知センサのオンエッジの検出を禁止しない場合の、遊技球検知センサの状態と、遊技球検知センサの入力判定値と、電磁波検知センサの状態の入力判定値と、オンエッジの検出結果との時系列的な関係の一例を示すタイムチャートである。
【図１０】図９の場合と同じ大玉ゴト中に遊技球検知センサのオンエッジの検出を禁止する場合の、遊技球検知センサの状態と、遊技球検知センサの入力判定値と、電磁波検知センサの入力判定値と、オンエッジの検出結果との時系列的な関係の一例を示すタイムチャートである。
【図１１】電磁波検知センサと主制御処理部の間を断線させた後の大玉ゴト中に、遊技球検知センサのオンエッジの検出を禁止する場合の、遊技球検知センサの状態と、遊技球検知センサの入力判定値と、電磁波検知センサの入力判定値と、オンエッジの検出結果との時系列的な関係の一例を示すタイムチャートである。
【図１２】電磁波検知センサと主制御処理部の間が断線した状態において、正規の遊技球が特定領域に入賞する場合の、遊技球検知センサの状態と、遊技球検知センサの入力判定値と、電磁波検知センサの入力判定値と、オンエッジの検出結果との時系列的な関係の一例を示すタイムチャートである。
【発明を実施するための形態】
【００３０】
本発明の一実施形態に係るパチンコ機について図１〜図１２を用いて説明する。以下の説明において各部の左右方向はパチンコ機に対面する遊技者にとっての左右方向に一致させて説明する。
【００３１】
図１に示すように、本発明の実施形態に係るパチンコ機１は、遊技場の島設備に設置される縦長方形状の機枠２と、この機枠２に開き戸状に開閉自在に取り付けられた本体枠３と、この本体枠３の前面に開き戸状に開閉自在に取り付けられ、中央に大きなガラス窓４ａが形成されたガラス扉４と、本体枠３の下部に開き戸状に開閉自在に設けられ、遊技球を収容する受皿６を有する前面ボード５と、この前面ボード５から前方に突出して設けられたハンドル７とを備える。ガラス扉４の左右両縁部には電飾７０が設けられている。また、ガラス扉４の上部および本体枠５の左下部にはスピーカ７１が設けられている。
【００３２】
図２に示すように、本体枠３の内側には、遊技盤３０が収容されている。この遊技盤３０の前面には、遊技領域３１が形成されている。この遊技領域３１は遊技球を滑走させる外レール３２と内レール３３によって略円形に区画形成されている。遊技領域３１全体は前述のガラス窓４ａを通じて見ることができるようになっている。
【００３３】
遊技盤３０の下方には、打撃槌（図示していない）により遊技球を打撃して発射する発射装置１０が設けられている。この発射装置１０には受皿６から遊技球が１個ずつ供給されるようになっている。発射装置１０に遊技球が供給された状態でハンドル７（図１参照）が回動操作されると、発射装置１０はハンドル７の回動量に応じた発射強度で遊技球を外レール３２に向かって打ち出し、これにより遊技球は外レール３２に沿って遊技領域３１に導かれる。なお、図２においては、遊技領域３１内の構成の図示を省略した。
【００３４】
図３に示すように、遊技領域３１内には、特別図柄表示装置４０、普通図柄表示装置４１、視認窓５０ａ、ステージ５１、第１始動入賞口６１、第２始動入賞口６２、アタッカ装置６３、スルーチャッカ６４、一般入賞口６５Ａ〜６５Ｅ、アウト口６６が設けられている。これらの他に、遊技領域３１内には遊技釘および風車など、遊技球の流れを変化させる部材が設けられているが、それらの図示を省略した。なお、第１始動入賞口６１、第２始動入賞口６２、スルーチャッカ６４、一般入賞口６５Ａ〜６５Ｅは、本発明の特定領域である。
【００３５】
第１始動入賞口６１および第２始動入賞口６２は遊技球が通過可能に形成された入賞口であって、第１始動入賞口６１、第２始動入賞口６２の順番で上下に並んで位置する。これら第１始動入賞口６１および第２始動入賞口６２に遊技球が入賞すると、特別図柄に係る電子抽選の契機が生じるとともに、賞球が発生する。また、第２始動入賞口６２は開閉自在な１対の羽根部材から成る電動チューリップ６２ａの中央に位置する。電動チューリップ６２ａはソレノイドにより駆動されることによって、図３に示す閉じた状態から開くようになっている。本実施形態においては、第１始動入賞口６１を形成している部材に対して、閉じた状態の電動チューリップ６２ａの先端が近接して位置するため、電動チューリップ６２ａが開いた状態でなければ遊技球は第２始動入賞口６２に入賞しない。
【００３６】
特別図柄表示装置４０は、特別図柄を変動させた後に停止させるという態様で表示するよう制御されるものである。特別図柄は、第１始動入賞口６１への遊技球の入賞に基づいて行われた電子抽選の結果、または、第２始動入賞口６２への遊技球の入賞に基づいて行われた電子抽選の結果を、変動を停止したときに示すものである。
【００３７】
アタッカ装置６３は、複数個の遊技球が一度に入賞可能な大入賞口６３ａを、フラップ状の蓋体部材により開閉するものであり、第１始動入賞口６１への遊技球の入賞に基づいて行われた電子抽選で当りに当選した場合、または、第２始動入賞口６２への遊技球の入賞に基づいて行われた電子抽選で当りに当選した場合に、大入賞口６３ａを所定回数だけ開放するよう制御されるものである。
【００３８】
スルーチャッカ６４は遊技球が通過可能なゲートである。このスルーチャッカ６４を遊技球が通過すると、普通図柄に係る電子抽選の契機が生じる。普通図柄表示装置４１は、普通図柄を変動させた後に停止させるという態様で表示するよう制御されるものである。普通図柄は、遊技球がスルーチャッカ６４を通過したことに基づいて行われた電子抽選の結果を、変動を停止したときに示すものである。普通図柄に係る電子抽選で当りに当選した場合に、前述の電動チューリップ６２ａが開くよう制御される。
【００３９】
一般入賞口６５Ａ〜６５Ｅは遊技球が通過可能に形成された入賞口である。これらの一般入賞口６５Ａ〜６５Ｅのそれぞれに遊技球が入賞すると、賞球が発生する。
【００４０】
視認窓５０ａは遊技盤３０の略中央部に設けられている。この視認窓５０ａの後方には演出表示装置５０が設けられている。本実施形態において演出表示装置５０は液晶表示装置であり、特別図柄に係る電子抽選を演出する映像を表示するよう制御されるものである。その映像を遊技者は視認窓５０ａを通じて見ることができる。その映像にはダミー図柄が含まれ、このダミー図柄は変動した後に停止するという態様で表示される。ダミー図柄の表示の態様は、特別図柄の変動と停止に同期するよう制御される。なお、前述の特別図柄表示装置４０は演出表示装置５０の視認窓５０ａから離れて遊技領域３１の左下部に設けられていることにより、視認窓５０ａから見える映像と特別図柄表示装置４０に表示される特別図柄とが同時に遊技者の視界に入らないようになっている。
【００４１】
ステージ５１は視認窓５０ａの下方に広がっている。このステージ５１は、これに載った遊技球が転動しながら一時的に滞在するよう形成された構造物である。ステージ５１の中央には溝５１ａが形成されていて、この溝５１ａの真下には、前述の第１始動入賞口６１が設けられている。つまり、ステージ５１の溝５１ａと第１始動入賞口６１の配置は、溝５１ａから落下した遊技球が高い確率で第１始動入賞口６１に入賞するよう設定されている。
【００４２】
図４に示すように、パチンコ機１の背面側には、主制御処理部１１０と、副制御処理部である特別図柄制御処理部２００、普通図柄制御処理部２０１、演出制御処理部２０２、電飾制御処理部２０３、音声制御処理部２０４および払出制御処理部６００とが設けられている。これらの制御処理部１１０，２００〜２０４，６００はいずれも、ＣＰＵ（Central Processing Unit）と、予め定められた制御プログラムを格納するＲＯＭ（Read Only Memory）と、ＣＰＵにより行われる情報処理作業の記憶領域としてのＲＡＭ（Random Access Memory）とを備えたマイクロコンピュータであり、これらによってパチンコ機１の種々の制御が行われる。また、パチンコ機１の背面側には遊技球を受皿６に払い出す賞球払出装置６０１も設けられている。
【００４３】
前述の第１始動入賞口６１、第２始動入賞口６２、大入賞口６３ａ、スルーチャッカ６４、一般入賞口６５Ａ〜６５Ｅのそれぞれには、図５に示すように、遊技球を検知する遊技球検知センサ（磁気センサ）である第１始動入賞口センサ１０１、第２始動入賞口センサ１０２、大入賞口センサ１０３、スルーチャッカセンサ１０４、一般入賞口センサ１０５Ａ〜１０５Ｅのそれぞれが設けられている。これらセンサ１０１〜１０４，１０５Ａ〜１０５Ｅは、遊技球を検知したときに遊技球検知信号を出力するオン状態となり、遊技球を検知しないときにその遊技球検知信号を出力しないオフ状態となる。
【００４４】
第１始動入賞口センサ１０１、第２始動入賞口センサ１０２、大入賞口センサ１０３、スルーチャッカセンサ１０４、一般入賞口センサ１０５Ａ〜１０５Ｅのそれぞれの遊技球検知信号は全て主制御処理部１１０に入力されるようになっている。主制御処理部１１０は、遊技球検知信号の入力に基づき遊技に関する処理を行う。
【００４５】
主制御処理部１１０は、制御プログラムにより設定された手段である遊技球検知センサ用状態判定手段１５０とオンエッジ検出処理手段１６０とを備える。
【００４６】
遊技球検知センサ用状態判定手段１５０は、遊技球検知センサである第１始動入賞口センサ１０１、第２始動入賞口センサ１０２、スルーチャッカセンサ１０４、一般入賞口センサ１０５Ａ〜１０５Ｅのそれぞれの状態がオン状態であるかオフ状態であるかを、それらの遊技球検知センサのそれぞれについて個別に、その遊技球検知センサの遊技球検知信号を制御処理部が入力したか否かに基づいて判定するものである。具体的には、遊技球検知センサである第１始動入賞口センサ１０１、第２始動入賞口センサ１０２、大入賞口センサ１０３、スルーチャッカセンサ１０４および一般入賞口センサ１０５のそれぞれの状態の判定を、主制御処理部１１０のＣＰＵのクロック周波数に基づき一定周期（４ミリ秒の周期）で行い、この判定の結果を、遊技球検知センサのオン状態に対応付けられた入力判定値であるオン判定値、または、遊技球検知信号センサのオフ状態に対応付けられた入力判定値であるオフ判定値の形で更新して主制御処理部１１０のＲＡＭに記憶するようになっている。本実施形態においてオン判定値は「１」であり、オフ判定値は「０」である。
【００４７】
オンエッジ検出処理手段１６０は、遊技球検知センサ用状態判定手段１５０による判定の結果に基づいて、第１始動入賞口センサ１０１、第２始動入賞口センサ１０２、大入賞口センサ１０３、スルーチャッカセンサ１０４、一般入賞口センサ１０５のそれぞれのオンエッジを検出するものである。
【００４８】
このオンエッジ検出処理手段１６０は具体的には図６に示すオンエッジ検出処理を行うようになっている。このオンエッジ検出処理においては、はじめに、遊技球検知センサ用状態判定手段１５０により主制御処理部１１０のＲＡＭに記憶された前回の入力判定値をロードする（ステップＳ１１）。次に、前回の入力判定値をビット反転させる（ステップＳ１２）。次に、ビット反転させた前回の入力判定値と、今回の入力判定値との論理積を計算してオンエッジを検出する（ステップＳ１３）。
【００４９】
このステップＳ１３における処理を、遊技球が一般入賞口６５Ａに入賞した場合を例に挙げて説明すると、一般入賞口センサ１０５Ａの前回の入力判定値は、一般入賞口６５Ａに遊技球が入賞する前の入力判定値、すなわち「０」（オフ判定値）である。そして、遊技球が一般入賞口６５Ａに入賞したときに、一般入賞口センサ１０５Ａの今回の入力判定値「１」（オン判定値）が得られる。前回の入力判定値「０」をビット反転させると「１」となり、この「１」と今回の入力判定値「１」との論理積は「１」となって、オンエッジが検出される。つまり、オンエッジ検出処理手段１６０は、遊技球検知センサ用状態判定手段１５０により入力判定値がオフ判定値「０」からオン判定値「１」に更新されたことを、オンエッジとして検出するようになっている。これ以外の場合、ビット反転させた前回の入力判定値と今回の入力判定値との論理積は「０」になるため、オンエッジは検出されない。
【００５０】
ステップＳ１３の次に、オンエッジ検出処理手段１６０は、今回の入力判定値をオンエッジ検出マスクデータを用いて変換し、すなわち今回の入力判定値のマスクデータ変換を行い（ステップＳ１４）、次に、マスクデータ変換した今回の入力判定値をオンエッジ検出フラグデータとともにセーブして（ステップＳ１５）、すなわち、次回のオンエッジ検出処理における前回の入力判定値として保存して、オンエッジ検出処理は終了する。
【００５１】
主制御処理部１１０はさらに、制御プログラムにより設定された手段である特別図柄用電子抽選手段１２０を備える。特別図柄用電子抽選手段１２０は、オンエッジ検出処理手段１６０により第１始動入賞口センサ１０１または第２始動入賞口センサ１０２のオンエッジが検出された場合に、特別図柄に係る電子抽選を行うものである。主制御処理部１１０は特別図柄に係る電子抽選の結果に基づき、特別図柄の変動開始を特別図柄制御処理部２００に指令する。特別図柄制御処理部２００は主制御処理部１１０からの指令に基づき、特別図柄が変動した後に停止するよう特別図柄表示装置４０を制御する。
【００５２】
なお、主制御処理部１１０から演出制御処理部２０２、電飾制御処理部２０３および音声制御処理部２０４に対しても、特別図柄制御処理部２００に対する指令と同様の指令が与えられるようになっている。それら演出制御処理部２０２、電飾制御処理部２０３および音声制御処理部２０４のそれぞれは、その指令に基づいて演出表示装置５０、電飾７０およびスピーカ７１のそれぞれを制御し、特別図柄に係る電子抽選を演出する。
【００５３】
主制御処理部１１０はさらに、制御プログラムにより設定された手段であるアタッカ制御手段１２１を備える。このアタッカ制御手段１２１は、特別図柄に係る電子抽選で当りに当選した場合、特別図柄表示装置４０において特別図柄の変動が停止した後に、アタッカ装置６３に大入賞口６３ａを所定回数だけ開放させるものである。
【００５４】
主制御処理部１１０はさらに、制御プログラムにより設定された手段である普通図柄用電子抽選手段１３０を備える。この普通図柄用電子抽選手段１３０は、オンエッジ検出処理手段１６０によりスルーチャッカ６４のオンエッジが検出された場合に、普通図柄に係る電子抽選を行うものである。主制御処理部１１０は普通図柄に係る電子抽選の結果に基づき普通図柄の変動開始を指令する。普通図柄制御処理部２０１は主制御処理部１１０からの指令に基づき、普通図柄が変動した後に停止するよう普通図柄表示装置４１を制御する。
【００５５】
主制御処理部１１０はさらに、制御プログラムにより設定された手段である電動チューリップ制御手段１３１を備える。この電動チューリップ制御手段１３１は、普通図柄に係る電子抽選で当りに当選した場合、普通図柄表示装置４１において普通図柄の変動が停止した後に、電動チューリップ６２ａを所定回数だけ開放させるものである。
【００５６】
主制御処理部１１０はさらに、制御プログラムにより設定された手段である賞球払出指令手段１７０を備える。この賞球払出指令手段１７０は、前述のオンエッジ検出処理手段１６０によって第１始動入賞口センサ１０１のオンエッジが検出された場合、第２始動入賞口センサ１０２のオンエッジが検出された場合、大入賞口センサ１０３のオンエッジが検出された場合、および、一般入賞口センサ１０５Ａ〜１０５Ｅのそれぞれのオンエッジが検出された場合に、オンエッジが検出された遊技球検知センサに予め対応付けられた個数の賞球の払出しを、払出制御処理部６００に指令するものである。払出制御処理部６００は賞球払出指令手段１７０からの指令に基づき、賞球が受皿６に払い出されるよう賞球払出装置６０１を制御する。
【００５７】
前述のステージ５１には、電磁波検知センサ１８０が設けられている。この電磁波検知センサ１８０は、特定波長域の電磁波を照射されるとオフ状態となり、その電磁波を照射されないと非検知信号を出力するオン状態となるものである。つまり、電磁波検知センサ１８０のオフ状態は、電磁波検知センサ１８０が特定波長域の電磁波を検知した状態であり、電磁波検知センサ１８０のオン状態は、電磁波検知センサ１８０が特定波長域の電磁波を検知していない状態である。電磁波検知センサ１８０の非検知信号は主制御処理部１１０に入力されるようになっている。
【００５８】
主制御処理部１１０は、制御プログラムにより設定された手段である電磁波検知センサ用状態判定手段１８１と、遊技球検知センサ用異常検知手段１８２と、オンエッジ検出禁止処理手段１８３と、異常報知制御手段１８４とを備える。
【００５９】
電磁波検知センサ用状態判定手段１８１は、主制御処理部１１０が電磁波検知センサ１８０の非検知信号を入力しているか否かに基づき、電磁波検知センサ１８０の状態がオフ状態であるかオフ状態であるかの判定を一定周期（４ミリ秒の周期）で行い、この判定の結果を、電磁波検知センサ１８０のオン状態（非検知状態）に対応付けられた入力判定値であるオン判定値、または、電磁波検知センサ１８０のオフ状態（検知状態）に対応付けられた入力判定値であるオフ判定値の形で更新して主制御処理部１１０のＲＡＭに記憶するようになっている。
【００６０】
主制御処理部１１０に電磁波検知センサ１８０の非検知信号が入力されていないことに基づき、電磁波検知センサ用状態判定手段１８１は電磁波検知センサ１８０の状態をオフ状態と判定する。このため、電磁波検知センサ１８０が特定波長域の電磁波を検知してオフした場合と、電磁波検知センサ１８０と主制御処理部１１０の間が断線して電磁波検知センサ１８０から主制御処理部１１０への非検知信号が途絶えた場合とに、電磁波検知センサ１８０の状態は、電磁波検知センサ用状態判定手段１８１によってオフ状態と判定されることになる。つまり、電磁波検知センサ用状態判定手段１８１は、電磁波検知センサ１８０と主制御処理部１１０の間の断線を、特定波長域の電磁波を検知したことと同等に扱うようになっている。
【００６１】
遊技球検知センサ用異常検知手段１８２は、特定領域に設けられた特定の遊技球検知センサ、すなわち、第１始動入賞口センサ１０１、第２始動入賞口センサ１０２、スルーチャッカセンサ１０４、一般入賞口センサ１０５Ａ〜１０５Ｅのそれぞれの状態の異常を個別に検知するものである。具体的には、電磁波検知センサ用状態判定手段１８１による電磁波検知センサ１８０の状態の判定結果がオン状態からオフ状態に変化した後、特定領域に設けられた遊技球検知センサのいずれか、すなわち、第１始動入賞口センサ１０１、第２始動入賞口センサ１０２、スルーチャッカセンサ１０４、一般入賞口センサ１０５Ａ〜１０５Ｅのいずれかの入力判定値の更新状況が、所定の周期数を超えて連続してオン判定値に更新されることを、遊技球検知センサ用異常検知手段１８２は異常として検知するようになっている。
【００６２】
ところで、第１始動入賞口センサ１０１、第２始動入賞口センサ１０２、スルーチャッカセンサ１０４、一般入賞口センサ１０５Ａ〜１０５Ｅのそれぞれを正規の遊技球が通過するのに要する時間のうち、一般入賞口センサ１０５Ａを遊技球が通過するのに要する時間が最も長い。この時間を以下では最長時間を呼ぶ。第１始動入賞口センサ１０１、第２始動入賞口センサ１０２、スルーチャッカセンサ１０４、一般入賞口センサ１０５Ａ〜１０５Ｅはいずれも、遊技球に最長時間以下の時間で通過されるため、その最長時間以下の時間しかオン状態を維持しない。これに対し、大玉が第１始動入賞口６１、第２始動入賞口６２、スルーチャッカ６４、一般入賞口６５Ａ〜６５Ｅのいずれかの特定領域に詰まった場合には、その特定領域に設けられた遊技球検知センサは最長時間よりも長い時間、オン状態を維持することになる。そして、大玉ゴト中において電磁波の照射が途切れている期間が最長時間よりも長くなった場合には、その最長時間よりも長い時間、遊技球検知センサ用異常検知手段１８２は、入力判定値をオン判定値に更新し続けることになる。
【００６３】
そこで、本実施形態に係るパチンコ機１においては、遊技球検知センサ用状態判定手段１５０による判定の周期をＴで表し、前述の所定の周期数をＺで表し、最長時間をＨで表した場合に、ＺはＴ，Ｈとの間で「Ｈ／Ｔ＜Ｚ」という関係式を満たすよう設定されている。つまり、遊技球検知センサ用異常検知手段１８２は、大玉ゴト中において電磁波の照射が途切れている期間内に、第１始動入賞口６１、第２始動入賞口６２、スルーチャッカ６４、一般入賞口６５Ａ〜６５Ｅいずれかの特定領域に大玉が詰まった状態である異常を、それらの特定領域に設けられた遊技球検知センサのいずれかの入力判定値の更新状況が、所定の周期数Ｚを超えて連続してオン判定値に更新されることに基づき検知するようになっている。
【００６４】
オンエッジ検出禁止処理手段１８３は、遊技球検知センサ用異常検知手段１８２により異常が検知された場合に、第１始動入賞口センサ１０１、第２始動入賞口センサ１０２、スルーチャッカセンサ１０４、一般入賞口センサ１０５Ａ〜１０５Ｅのうち、異常が検知された遊技球検知センサに限ってオンエッジ検出処理手段１６０によるオンエッジの検出を禁止するものである。具体的には、遊技球検知センサ用異常検知手段１８２により異常が検知された遊技球検知センサに限って、その遊技球検知センサの入力判定値を常に前回の入力判定値に更新することにより、オンエッジ検出処理手段１６０によるオンエッジの検出を禁止するようになっている。
【００６５】
異常報知制御手段１８４は、電磁波検知センサ１８０からの非検知信号を主制御処理部１１０が入力しなくなったこと、すなわち、電磁波検知センサ１８０がオフ状態となったことに基づく指令を、電飾制御処理部２０３および音声制御処理部２０４に与えるものである。電飾制御処理部２０３は異常報知制御手段１８４からの指令に基づき、この指令に予め対応付けられた色で電飾７０が点灯した状態が維持されるよう電飾７０を制御し、音声制御処理部２０４は同じく異常報知制御手段１８４からの指令に基づき、この指令に予め対応付けられた警報音が出力されるようスピーカ７１を制御するようになっている。この結果、電磁波検知センサ１８０がオフ状態になったこと、すなわち、電磁波検知センサ１８０が電磁波を検知したことが、電飾７０とスピーカ７１により報知される。
【００６６】
電磁波検知センサ用状態判定手段１８１、遊技球検知センサ用異常検知手段１８２、オンエッジ検出禁止処理手段１８３、異常報知制御手段１８４が関わる主制御処理部１１０の動作は、図７に示すルーチンで行われる。
【００６７】
はじめに、異常報知制御手段１８４と遊技球検知センサ用異常検知手段１８２は、電磁波検知センサ用状態判定手段１８１により判定された直近の電磁波検知センサ１８０の状態、すなわち、電磁波検知センサ１８０の直近の入力判定値がオフ判定値である否かの確認を行う（ステップＳ２１）。この確認の結果、電磁波検知センサ１８０の直近の入力判定値がオフ判定値であった場合（ステップＳ２１でＹＥＳ）、異常報知制御手段１８４は、その確認の結果に基づく指令を電飾制御処理部２０３および音声制御処理部２０４に与える。電飾制御処理部２０３は異常報知制御手段１８４からの指令に基づき、電飾７０を、その指令に予め対応付けられた色で点灯させた状態を維持する。また、音声制御処理部２０４は同じく異常報知制御手段１８４からの指令に基づき、その指令に予め対応付けられた警報音をスピーカ７１から出力させる。つまり、電磁波検知センサ１８０のオフ状態を、電飾７０とスピーカ７１によって報知する（ステップＳ２２）。なお、電磁波検知センサ用状態判定手段１８１は、電磁波検知センサ１８０が実際に電磁波を検出してオフ状態となったために主制御処理部１１０が電磁波検知センサ１８０の非検知信号を入力しなくなったのか、電磁波検知センサ１８０と主制御処理部１１０の間の断線によって電磁波検知センサ１８０からの非検知信号が途絶えたのかは識別できないため、このステップＳ２２においては、どちらも区別なく電飾７０とスピーカ７１により報知されることになる。
【００６８】
また、遊技球検知センサ用異常検知手段１８２は、電磁波検知センサ１８０の直近の入力判定値がオフ判定値であることを確認した場合（ステップＳ２１でＹＥＳ）、各特定領域の遊技球検知センサ、すなわち第１始動入賞口センサ１０１、第２始動入賞口センサ１０２、スルーチャッカセンサ１０４、一般入賞口センサ１０５Ａ〜１０５Ｅのそれぞれの入力判定値の更新状況を監視する（ステップＳ２３）。次に、遊技球検知センサ用異常検知手段１８２は、監視中の遊技球検知センサのいずれかの入力判定値が、所定の周期数Ｚを超えて連続する異常はあったか否かの判定を行う（ステップＳ２４）。この判定の結果、監視中の遊技球検知センサのいずれかの入力判定値が所定の周期数Ｚを超えて連続する異常があった場合に、すなわち、特定領域のいずれかに大玉が詰まっていた場合に、オンエッジ検出禁止処理手段１８３は、第１始動入賞口センサ１０１、第２始動入賞口センサ１０２、スルーチャッカセンサ１０４、一般入賞口センサ１０５Ａ〜１０５Ｅのうち、その異常が検知された遊技球検知センサに限って遊技球検知センサ用状態判定手段１５０による入力判定値を常に前回の入力判定値に更新する状態に移行し（ステップＳ２５）、ルーチンは終了する。これにより、異常が検知された遊技球検知センサに限って入力判定値が変化しなくなり、オンエッジ検出処理手段１６０によるオンエッジの検出が禁止される。
【００６９】
なお、図７中のステップＳ２１において、電磁波検知センサ用状態判定手段１８１による判定の結果、電磁波検知センサ１８０の直近の入力判定値がオフ判定値でなかった場合（ステップＳ２１でＮＯ）、すなわち、電磁波検知センサ１８０が特定波長域の電磁波を検知してない状態であり、電磁波検知センサ１８０と主制御処理部１１０の間が断線していない状態である場合、オンエッジ検出処理手段１６０によりオンエッジが検出される状態は維持される。
【００７０】
図７に示すルーチン「Ｓ２１→Ｓ２３→Ｓ２４→Ｓ２５」が行われることによって、第１始動入賞口センサ１０１、第２始動入賞口センサ１０２、スルーチャッカセンサ１０４、一般入賞口センサ１０５Ａ〜１０５Ｅのそれぞれの状態と、その遊技球検知センサの入力判定値と、電磁波検知センサ１８０の入力判定値と、オンエッジの検出結果との時系列的な関係は、例えば図１０または図１１に示すタイムチャートのようになり、この結果、大玉ゴトによる賞球の払出しが繰り返されることが防止される。それら図１０，図１１に示すタイムチャートについては後に説明するが、その説明を分かりやすくするために、先に、大玉ゴトによらない正常な賞球の払出しが行われる場合について図８を用いて説明し、また、大玉ゴト中に図７に示すルーチン「Ｓ２１→Ｓ２３→Ｓ２４→Ｓ２５」が行われなかったために賞球の払出しが繰り返される場合について図９を用いて説明する。
【００７１】
まず、大玉ゴトによらない正常な賞球の払出しが行われる場合について、一般入賞口６５Ａへの遊技球の入賞を例に挙げ、図８を用いて説明する。なお、一般入賞口センサ１０５Ａを遊技球が通過するのに要する時間は、前述のように、第１始動入賞口センサ１０１、第２始動入賞口センサ１０２、スルーチャッカセンサ１０４、一般入賞口センサ１０５Ａ〜１０５Ｅのそれぞれを遊技球が通過するのに要する時間のうちで最も長い最長時間Ｈである。
【００７２】
今回は電磁波が用いられないので、図８（ｃ）に示すように、電磁波検知センサ１８０の状態はオン状態、すなわち電磁波の非検知状態に維持されている。図８（ａ）に示すように、一般入賞口６５Ａに遊技球が入賞した時点Ｗ１で、一般入賞口センサ１０５Ａ（遊技球検知センサ）の状態はオフ状態（非検知状態）からオン状態（検知状態）に変化する。このとき、主制御処理部１１０の遊技球検知センサ用状態判定手段１５０は、図８（ｂ）に示すように、一般入賞口センサ１０５Ａの入力判定値をオフ判定値からオン判定値に更新する。この更新に基づきオンエッジ検出処理手段１６０は図８（ｄ）に示すようにオンエッジを検出し、この結果、賞球の払出しが行われる。遊技球が一般入賞口センサ１０５Ａを、最長時間Ｈを掛けて通過し終えると、図８（ａ）に示すように、一般入賞口センサ１０５Ａの状態はオン状態からオフ状態に変化する。このとき、主制御処理部１１０の遊技球検知センサ用状態判定手段１５０は、図８（ｂ）に示すように、一般入賞口センサ１０５Ａの入力判定値をオン判定値からオフ判定値に更新する。ここで説明したことは、遊技球が一般入賞口６５Ａに入賞する度に行われる（時点Ｗ２〜Ｗ４の参照）。
【００７３】
次に、大玉ゴト中に図７に示すルーチン「Ｓ２１→Ｓ２３→Ｓ２４→Ｓ２５」が行われなかったために賞球の払出しが繰り返されてしまった場合について、一般入賞口６５Ａに大玉が詰まった場合を例に挙げ、図９を用いて説明する。
【００７４】
図９（ａ）に示すように、大玉が一般入賞口６５Ａに詰まった時点Ｃで、一般入賞口センサ１０５Ａの状態はオフ状態からオン状態に変化する。このとき、遊技球検知センサ用状態判定手段１５０は、図９（ｂ）に示すように、一般入賞口センサ１０５Ａの入力判定値を、オフ判定値からオン判定値に更新する。この更新に基づき主制御処理部１１０のオンエッジ検出処理手段１６０は図９（ｄ）に示すようにオンエッジを検出する。この結果、賞球の払出しが行われる。つまり、大玉が一般入賞口６５Ａに詰まったとこが、その一般入賞口６５Ａへの正規の遊技球の入賞と同等に扱われて賞球の払出しが行われる。
【００７５】
大玉が一般入賞口６５Ａに詰まった状態において、一般入賞口センサ１０５Ａの状態はオン状態に維持されるので、遊技球検知センサ用状態判定手段１５０は、一般入賞口センサ１０５Ａの入力判定値をオン判定値に維持するはずである。しかし、大玉が一般入賞口６５Ａに詰まった状態で電磁波が断続的に主制御処理部１１０に照射された場合、遊技球検知センサ用状態判定手段１５０は電磁波の照射されている期間中に、一般入賞口センサ１０５Ａの入力判定値をオフ判定値に維持する誤作動を起こす。具体的には、図９（ｂ）に示すように、時点Ｉ１から時点Ｓ１までの期間、時点Ｉ２から時点Ｓ２までの期間、時点Ｉ３から時点Ｓ３までの期間に電磁波が照射された場合、それら３つの期間のそれぞれにおいて主制御処理部１１０の遊技球検知センサ用状態判定手段１５０は誤作動を起こし、一般入賞口センサ１０５Ａの入力判定値をオフ判定値に維持してしまう。
【００７６】
このように遊技球検知センサ用状態判定手段１５０が誤作動を起こすと、一般入賞口センサ１０５Ａの状態が、大玉が一般入賞口６５に詰まった当初（時点Ｃ）にオフ状態からオン状態に変化したときだけでなく、電磁波の照射が停止される度に、すなわち時点Ｓ１〜Ｓ３のそれぞれの度に、遊技球検知センサ用状態判定手段１５０は一般入賞口センサ１０５Ａの入力判定値をオフ判定値からオン判定値に更新する。そして、オンエッジ検出処理手段１６０はそれらの時点Ｓ１〜Ｓ３のそれぞれの度にオンエッジを検出し、この結果、３回の賞球の払出しが行われる。つまり、大玉ゴトによってオンエッジが偽装された回数だけ、賞球の払出しが行われてしまう。
【００７７】
大玉ゴト中に、図７に示すルーチン「Ｓ２１→Ｓ２３→Ｓ２４→Ｓ２５→Ｓ２５」が行われると、図１０（ａ），（ｂ），（ｄ）に示すように、大玉が一般入賞口６５Ａに詰まった時点Ｃと、１回目の電磁波の照射が停止された時点Ｓ１とに賞球が払い出されてしまうことは前述の図９の場合と同じであるが、１回目の電磁波の照射が停止された時点Ｓ１から２回目の電磁波の照射が開始される時点Ｉ２までの期間が最長時間Ｈよりも長い場合には、その後の大玉ゴトによる賞球の払出しが防止される。
【００７８】
つまり、図１０（ｃ）に示すように、時点Ｉ１からＳ１までの期間に１回目の電磁波の照射が行われ、その電磁波が電磁波検知センサ１８０により検知されると、この直前まで主制御処理部１１０に入力されていた電磁波検知センサ１８０の非検知信号が途絶える。このことに基づき、主制御処理部１１０の電磁波検知センサ用状態判定手段１８１は、電磁波検知センサ１８０の入力判定値をオン判定値からオフ判定値に更新する。
【００７９】
そして、電磁波の照射が停止された時点Ｓ１から、主制御処理部１１０の遊技球検知センサ用異常検知手段１８２は、各特定領域の遊技球検知センサ、すなわち第１始動入賞口センサ１０１、第２始動入賞口センサ１０２、スルーチャッカセンサ１０４、一般入賞口センサ１０５Ａ〜１０５Ｅのそれぞれの入力判定値の更新状況の監視を開始し、この監視中に、一般入賞口センサ１０５Ａの入力判定値が、所定の周期数Ｚを超えて連続してオン判定値に更新される異常を検知した場合、すなわち、図１０（ｂ）に示すように一般入賞口センサ１０５Ａの入力判定値が最長時間Ｈを超えて連続してオン判定値に更新される異常を検知した場合、さらに言い換えると、大玉が一般入賞口６５Ａに詰まっていることを検知した場合、オンエッジ検出禁止処理手段１８３は、その異常が検知された一般入賞口センサ１０５Ａに限って入力判定値を常に前回の入力判定値に更新する状態に移行する。
【００８０】
この状態に移行した後は、２回目の電磁波の照射が開始された時点Ｉ２において、一般入賞口センサ１０５Ａの今回の入力判定値は、図９（ｂ）に示すようにオフ判定値に更新されるのではなく、図１０（ｂ）に示すように前回の入力判定値であるオン判定値に強制的に書き換えられて更新される。その後も、一般入賞口センサ１０５Ａの入力判定値は常に前回の入力判定値に強制的に書き換えられて更新されるため、一般入賞口６５Ａから大玉が取り除かれて図１０（ａ）に示すように一般入賞口センサ１０５Ａがオフ状態（非検知状態）となるまでは、電磁波が照射されているか否かに関係なく、図１０（ｂ）に太い破線で示すように一般入賞口センサ１０５Ａの入力判定値は常にオン判定値に更新される。この間、一般入賞口センサ１０５Ａの入力判定値はオフ判定値からオン判定値に更新されなることがないため、オンエッジ検出処理手段１６０はオンエッジを検出しない。この結果、２回目の電磁波の照射が停止された時点Ｓ２の後は、電磁波の断続的な照射に伴う賞球の払出しは行われない。
【００８１】
大玉ゴトの際には電磁波の使用を発見されないようにすることを目的として電磁波検知センサ１８０と主制御処理部１１０の間が断線される場合が考えられる。電磁波検知センサ１８０と主制御処理部１１０の間が断線した状態においては、電磁波検知センサ１８０から主制御処理部１１０への非検知信号が途絶えるため、電磁波検知センサ用状態判定手段１８１は、電磁波検知センサ１８０の入力判定値を、図１１（ｃ）に示すようにオフ判定値に維持する、つまり、電磁波検知センサ用状態判定手段１８１は、電磁波検知センサ１８０と主制御処理部１１０の間の断線を、電磁波検知センサ１８０が電磁波を検知した状態と同等に扱う。
【００８２】
したがって今回は、大玉が一般入賞口６５Ａに詰まる前であって電磁波の照射が開始される時点Ｉ１よりも前の、電磁波検知センサ１８０と主制御処理部１１０の間が断線した段階で、主制御処理部１１０の遊技球検知センサ用異常検知手段１８２は、各特定領域の遊技球検知センサ、すなわち第１始動入賞口センサ１０１、第２始動入賞口センサ１０２、スルーチャッカセンサ１０４、一般入賞口センサ１０５Ａ〜１０５Ｅのそれぞれの入力判定値の更新状況の監視を開始する。その後、図１１（ａ）に示すように、一般入賞口６５Ａに大玉が詰まった時点Ｃで一般入賞口センサ１０５Ａの状態はオフ状態からオン状態となり、これに伴って遊技球検知センサ用状態判定手段１５０は、図１１（ｂ）に示すように、一般入賞口センサ１０５Ａの入力判定値をオフ判定値からオン判定値に更新する。このとき、オンエッジ検出処理手段１６０はオンエッジを検出し、この結果、賞球の払出しが行われる。つまり、大玉が特定領域に詰まったとこが、その特定領域への正規の遊技球の入賞を同等に扱われて賞球の払出しが行われる。
【００８３】
その後、一般入賞口６５Ａに大玉が詰まった時点Ｃから１回目の電磁波の照射が開始される時点Ｉ１までの時間が最長時間Ｈよりも長かった場合、すなわち、一般入賞口６５Ａに遊技球が詰まった状態で電磁波が照射されない状態が最長時間Ｈよりも長かった場合、一般入賞口センサ１０５Ａの入力判定値は、所定の周期数Ｚを超えて連続してオン判定値に更新される。このことを遊技球検知センサ用異常検知手段１８２は、一般入賞口６５Ａに大玉が詰まった異常として検知し、これに基づき、その異常が検知された一般入賞口センサ１０５Ａに限って入力判定値を常に前回の入力判定値に更新する状態に移行する。
【００８４】
この結果、一般入賞口６５Ａに大玉が詰まった時点Ｃから最長時間Ｈが経過した後、一般入賞口６５Ａから大玉が取り除かれて図１１（ａ）に示すように一般入賞口センサ１０５Ａがオフ状態（非検知状態）となるまでの期間内において、時点Ｉ１から時点Ｓ１までの期間、時点Ｉ２から時点Ｓ２までの期間、時点Ｉ３から時点Ｓ３までの期間に、電磁波の照射が行われることに関係なく、一般入賞口センサ１０５Ａの入力判定値は図１１（ｂ）に太い破線で示すように常に強制的にオン判定値に更新される。この間、一般入賞口センサ１０５Ａの入力判定値はオフ判定値からオン判定値に更新されることがないため、オンエッジ検出処理手段１６０はオンエッジを検出することがない。この結果、電磁波の断続的な照射に伴う賞球の払出しは防止される。
【００８５】
電磁波検知センサ１８０と主制御処理部１１０の間の断線は、電磁波を用いる不正行為と関係なく生じる場合もあると考えられる。この場合も、電磁波検知センサ用状態判定手段１８１は、図１２（ｃ）に示すように、電磁波検知センサ１８０の入力判定値をオフ判定値に維持する、つまり、電磁波検知センサ１８０と主制御処理部１１０の間の断線を、電磁波検知センサ１８０が電磁波を検知した状態と同等に扱う。
【００８６】
したがって今回も、電磁波検知センサ１８０と主制御処理部１１０の間が断線した時点から、主制御処理部１１０の遊技球検知センサ用異常検知手段１８２は、各特定領域の遊技球検知センサ、すなわち第１始動入賞口センサ１０１、第２始動入賞口センサ１０２、スルーチャッカセンサ１０４、一般入賞口センサ１０５Ａ〜１０５Ｅのそれぞれの入力判定値の更新状況の監視を開始する。この監視中、正規の遊技球が一般入賞口６５Ａに入賞した場合、その遊技球が一般入賞口センサ１０５Ａに検知され続ける時間は最長時間Ｈであるため、図１２（ｂ）に示すように一般入賞口センサ１０５Ａの入力判定値は最長時間Ｈだけオン判定値に維持され、その最長時間Ｈを超えて維持されることはない。したがって、遊技球検知センサ用異常検知手段１８２が一般入賞口センサ１０５Ａの入力判定値の更新状況の異常を検知することはなく、図８に示したタイムチャートと同じく、遊技球が一般入賞口６５Ａに入賞する度に賞球の払出しが行われる。
【００８７】
なお、図８〜図１２に示すタイムチャートは、遊技球検知センサが一般入賞口センサ１０５Ａである場合の例であるが、遊技球検知センサが第１始動入賞口センサ１０１、第２始動入賞口センサ１０２、スルーチャッカセンサ１０４、一般入賞口センサ１０５Ｂ〜１０５Ｅのいずれか１に替わった場合も同様である。ただし、第１始動入賞口センサ１０１、第２始動入賞口センサ１０２に替わった場合には、オンエッジが検出されたときに賞球の払出しだけでなく、特別図柄に係る電子抽選の契機が発生し、スルーチャッカセンサ１０４に替わった場合には、オンエッジが検出されたときに賞球の払出しに替わって普通図柄柄に係る電子抽選の契機が発生する。
【００８８】
本実施形態に係るパチンコ機１によれば次の効果を得られる。
【００８９】
本実施形態に係るパチンコ機１は、電磁波検知センサ１８０と主制御処理部１１０の間の断線を、電磁波検知センサ１８０により電磁波が検知されたことと同等の異常として扱うものの、第１始動入賞口６１、第２始動入賞口６２、スルーチャッカ６４、一般入賞口６５Ａ〜６５Ｅの特定領域いずれかに実際に大玉が詰まっていることを検知しない場合には、それら特定領域のそれぞれに設けられた遊技球検知センサのオンエッジを検出できる状態を維持する。つまり、電磁波検知センサ１８０と主制御処理部１１０の間の断線を、電磁波検知センサ１８０による電磁波の検知と同等の異常として扱うことに伴う遊技者の不利益の発生を防止できる。
【００９０】
本実施形態に係るパチンコ機１において、所定の周期数Ｚは、遊技球検知センサ用状態判定手段１５０による判定の周期Ｔと、複数の遊技球検知センサ（第１始動入賞口センサ１０１、第２始動入賞口センサ１０２、スルーチャッカセンサ１０４、一般入賞口センサ１０５Ａ〜１０５Ｅ）のそれぞれを正規の遊技球が通過するのに要する時間のうちの最長時間Ｈとの間で「Ｈ／Ｔ＜Ｚ」という関係式を満たすよう設定されている。これにより、第１始動入賞口センサ１０１、第２始動入賞口センサ１０２、スルーチャッカセンサ１０４、一般入賞口センサ１０５Ａ〜１０５Ｅのそれぞれの入力判定値の更新状況の異常を判定するための周期数の基準を１種類で済ませることができ、したがって、それらの入力判定値の更新状況の異常を判定するための制御プログラムの構成が複雑になることを抑えることができる。
【００９１】
なお、前述の実施形態に係るパチンコ機１においては、複数の遊技球検知センサ（第１始動入賞口センサ１０１、第２始動入賞口センサ１０２、スルーチャッカセンサ１０４、一般入賞口センサ１０５Ａ〜１０５Ｅ）のそれぞれの入力判定値の更新状況の異常を判定するための周期数の基準を１種類で済ませることにより、それらの入力判定値の更新状況の異常を判定するための制御プログラムの構成が複雑になることを抑えているが、その制御プログラムが複雑になってもよい場合には、複数の遊技球検知センサのそれぞれについて個別に、入力判定値の更新状況の異常を判定するための周期数の基準が、その遊技球検知センサを正規の遊技球が通過するのに要する時間に基づいて設定されていてもよい。これにより、複数の特定領域のいずれかに遊技球が詰まった状態において、その特定領域に設けられた遊技球検知センサを正規の遊技球が通過するのに要する時間が最長時間Ｈよりも短い時間である場合に、最長時間Ｈよりも短い時間しか電磁波の照射が途切れなかったとしても、その特定領域に大玉が詰まっていることを検知できる。
【符号の説明】
【００９２】
１  パチンコ
３１  遊技領域
６１  第１始動入賞口
６２  第２始動入賞口
１０１  第１始動入賞口センサ
１０２  第２始動入賞口センサ
１０４  スルーチャッカセンサ
１０５  一般入賞口センサ
１１０  主制御処理部
１５０  遊技球検知センサ用状態判定手段
１６０  オンエッジ検出処理手段
１８０  電磁波検知センサ
１８１  遊技球検知センサ用異常検知手段
１８２  オンエッジ検出禁止処理手段
【図５】
0005756689.tif 000002
【図６】
0005756689.tif 000003
【図７】
0005756689.tif 000004
【図８】
0005756689.tif 000005
【図９】
0005756689.tif 000006
【図１０】
0005756689.tif 000007
【図１１】
0005756689.tif 000008
【図１２】
0005756689.tif 000009
【図１】
0005756689.tif 000010
【図２】
0005756689.tif 000011
【図３】
0005756689.tif 000012
【図４】
0005756689.tif 000013